(57)【要約】      （修正有）【課題】軽量・形状コンパクトで扱いやすく、吊り荷の大きさの変化に対応できる玉掛ワイヤーのより防止治具を提供する。【解決手段】揚重装置のフック２に引っかけられる吊持部３と、該吊持部の下部に設けられる支持部と、該支持部によって支持される二以上の腕部５と、該腕部の端部に各々設けられる挿通部６とでなり、前記腕部５が屈曲自由自在で無負荷において元の状態に復帰する弾性を有してなる。【選択図】図４
2007182293.tif 000002
【特許請求の範囲】
【請求項１】
揚重装置のフックに引っかけられる吊持部と、該吊持部の下部に設けられる支持部と、該支持部によって支持される二以上の腕部と、該腕部の端部に各々設けられる挿通部とでなるより防止治具であって、
前記腕部が屈曲自由自在で無負荷において元の状態に復帰する弾性を有すること、
を特徴とする玉掛ワイヤーのより防止治具。
【請求項２】
少なくとも腕部及び挿通部が、金属製ワイヤーで一体に形成されていること、
を特徴とする請求項１に記載の玉掛ワイヤーのより防止治具。
【請求項３】
吊持部が、金属製ワイヤーを環状にしてその交差部をロック部材で固定してなること、
を特徴とする請求項２に記載の玉掛ワイヤーのより防止治具。
【請求項４】
挿通部を形成するように環状にされた金属製ワイヤーの端部が、ロック部材で固定されていること、
を特徴とする請求項１乃至３のいずれかに記載の玉掛ワイヤーのより防止治具。
【発明の詳細な説明】
【技術分野】
【０００１】
本発明は、クレーン等の揚重手段で被吊持物を玉掛ワイヤーで吊持する際の、玉掛ワイヤーの縒（よ）りを防止するより防止治具に関するものである。
【背景技術】
【０００２】
従来、吊り荷をクレーン等で玉掛ワイヤーによって吊り上げる場合に、フックを中心にして吊り荷が回転して、吊り荷に係止させた玉掛ワイヤーが絡まってしまうことが多い。この玉掛ワイヤーの絡まりを防止すべく、例えば、従来例１として、略水平に保つＨ型鋼に複数本のワイヤーを吊り下げたものや、従来例２として棒状の絡み防止治具などが知られている。
【０００３】
前記絡み防止治具は、吊り下げワイヤーの下端部が連結される治具本体と、この治具本体に所定間隔離間して形成され前記玉掛ワイヤーが１本ずつ挿通される複数の挿通部を具備してなる吊り具として知られている（特許文献１参照）。
【０００４】
前記治具本体は、一文字状をなす鋼製のフレームで形成されるものである。この治具本体の両端部に形成された挿通部は、玉掛ワイヤーが挿通できる大きさであり、更に、玉掛ワイヤーのなす角度が３０°になるように位置決めされている。吊り荷の大きさに応じて治具本体の長さを可変できるように、伸縮自在にされている。
【特許文献１】特開平１０−３１０３５８号公報
【発明の開示】
【発明が解決しようとする課題】
【０００５】
しかし、従来例１におけるＨ型鋼の治具では、全体が鋼製で重量があり、扱いにくく、保管するにも場所を要して不便であり、外部に置きっぱなしでは錆の問題がある。また、従来例２では、治具本体両端の挿通部の位置が決まっているので、つり上げ時における玉掛ワイヤーの張る角度が決められていることになり、いろいろな大きさの吊り荷に対して臨機応変に対応できず、玉掛ワイヤーの開き角度が適当でないと、挿通部で擦れて玉掛ワイヤーが切断されるおそれがある。更に、その切断を防止するためには、予め複数個の挿通部を用意しなければならないという不便さがある。
本発明に係る玉掛ワイヤーのより防止治具は、このような課題を解決するために提案されたものである。
【課題を解決するための手段】
【０００６】
本発明に係る玉掛ワイヤーのより防止治具の上記課題を解決して目的を達成するための要旨は、揚重装置のフックに引っかけられる吊持部と、該吊持部の下部に設けられる支持部と、該支持部によって支持される二以上の腕部と、該腕部の端部に各々設けられる挿通部とでなるより防止治具であって、前記腕部が屈曲自由自在で無負荷において元の状態に復帰する弾性を有することである。
【０００７】
また、少なくとも腕部及び挿通部が、金属製ワイヤーで一体に形成されていること、；
前記吊持部が、金属製ワイヤーを環状にしてその交差部をロック部材で固定してなること、；
前記挿通部を形成するように環状にされた金属製ワイヤーの端部が、ロック部材で固定されていること、；
を含むものである。
【発明の効果】
【０００８】
本発明の玉掛ワイヤーのより防止治具によれば、腕部が屈曲自由自在で無負荷において元の状態に復帰する弾性を有するので、揚重装置のフックを中心にして斜めに張り出す玉掛ワイヤーが、吊り荷の大きさによってその角度が変わっても、絡みを防止するとともに、前記腕部がしなやかに撓むことができる。例えば、玉掛ワイヤーの開く角度が小さくなれば、腕部が窄まるように撓み、一方、開く角度が大きくなれば、挿通部が自然に上方に迫り上がり、腕部がそれに追従して撓む。よって、吊り荷の大きさに対応させて挿通部を複数設けておく必要がない。また、従来例２で示したような棒状の治具本体の長さを伸縮させるような構造にすることも、本発明においては不要である。このように、１つの本発明に係るより防止治具で複数種類の吊り荷に対応できるものである。
【０００９】
また、このより防止治具を金属製ワイヤーで、例えば、玉掛ワイヤー等で形成することで、全体が軽量で、低コストになり、持ち運びや治具としての使用において取り扱いやすくなる。更に、腕部を屈曲させて吊持部と重ねるようにすることで、コンパクトに畳まれて、収納場所を多くとらず保管場所に困らない。また、容易に室内保管できることで、雨に暴露されることなく錆の問題も生じない。
【００１０】
金属製ワイヤーで挿通部を形成すれば、環状にした「へび口」の向きも自由に変えられる。そして、麻芯ワイヤー又は鋼芯ワイヤーを吊り荷の重量により選択して使用することができる。また、金属製ワイヤーの径を吊り荷の重量に応じて変えることで、腕部の弾性力を適切に調整することができる。更に、吊り荷に応じて４点吊りする場合には、このより防止治具を２個使用するか、又は、腕部の先の挿通部を４カ所に増やして使用するかで対応できる。
【発明を実施するための最良の形態】
【００１１】
本発明に係る玉掛ワイヤーのより防止治具１は、図１乃至図２に示すように、揚重装置のフック２に引っかけられる吊持部３と、該吊持部３の下部に設けられる支持部４と、該支持部４によって支持される二以上の腕部５，５と、該腕部５の端部に各々設けられる挿通部６とでなるより防止治具である。この治具の全体の長さＬは、一例として略１ｍ程度であり、全体の重さは、金属製ワイヤーで一体に形成した場合で約３〜４ｋｇ程度であり、作業者が一人で軽く持ち運びできるものである。
【００１２】
前記腕部５が屈曲自由自在で無負荷において元の状態に復帰する弾性を有するものである。よって、これを形成するには、例えば、玉掛ワイヤー８等の金属製ワイヤーで一体に形成する。この金属製ワイヤーは、例えば、鋼芯ワイヤー若しくは麻芯ワイヤーであり、吊り荷９の重量に応じて選択される。なお、この腕部５は、直接、吊り荷９の荷重が加わるわけではないので、例えば、合成樹脂製とすることもできる。
【００１３】
前記吊持部３は、前記腕部５と一体にしても良く、別体にしても良い。例えば、一体にする場合には、図２に示すように、玉掛ワイヤー等の金属製ワイヤーを環状にしてその交差部をロック部材７で固定する。このロック部材７は、玉掛ワイヤー８を制作するのと同様に、鉛をかしめたものである。よって、工場で容易に吊持部３を製作することができる。この場合、ロック部材７が支持部４となる。
【００１４】
一方、腕部５と別体に吊持部３を形成する場合には、図３に示すように、例えば、所望板厚の金属製板でフック用の孔３ａが設けられた三角板３ｂとする。この三角板の下部を腕部５を支持する支持部４となる鉛７に固着する。
【００１５】
前記腕部５の端部に設けられる挿通部６は、図２に示すように、腕部５と一体に形成する場合は、金属製ワイヤーを玉掛ワイヤー８が挿通できるような大きさの環状して、その金属製ワイヤーの端部との接点部をロック部材７で固定する。このように、前記吊持部３、腕部５、挿通部６を金属製ワイヤーで一体に形成することができる。
【００１６】
なお、この挿通部６と腕部５とを別体にして、挿通部６が継ぎ手軸心周りに自在に回転したり、腕部５の軸心に対して傾いて屈曲したりするように、自在継手等で連結することもできる。それにより、玉掛ワイヤー８の動きに機敏に反応するようになる。
【００１７】
このようにして形成される玉掛ワイヤーのより防止治具１を使用するには、図４に示すように、この玉掛ワイヤーのより防止治具１をクレーンのフック２に掛ける。次に、吊り荷９のフック等に掛けた玉掛ワイヤー８の端部を前記玉掛ワイヤーのより防止治具１の挿通部６に通して更に前記フック２に掛ける。これを両方の玉掛ワイヤー８に対して行う。
【００１８】
そして、クレーンでフック２を吊り上げる。すると、玉掛ワイヤーのより防止治具１は最初は、図２に示すように、腕部５が直線状になっているが、玉掛ワイヤー８がピンと張るとその角度に応じて挿通部６を下に移動させ、図４に示すように、腕部５が挿通部６の移動に追従してしなやかに撓む。よって、玉掛ワイヤー８と、玉掛ワイヤーのより防止治具１の挿通部６との間で、強く擦れることが無く、ワイヤー切断のおそれがない。
【００１９】
クレーンで吊り荷９を揚重した後に、吊り荷９が回転するようなことがあっても、前記玉掛ワイヤーのより防止治具１の腕部５の作用によって捻れることがなく、玉掛ワイヤー８同士が絡まることがない。
【００２０】
前記腕部５は、揚重が終了して玉掛ワイヤー８が緩んだり外されたりすると、元の図２に示す直線状態に戻るものである。また、玉掛ワイヤーのより防止治具１の運搬，収納に関しては、図５に示すように、前記挿通部６，６を、腕部５を撓ませて吊持部３側に寄せる。そして、挿通部６、６同士をビニールタイ等の紐部材１０で縛ると、全体として非常にコンパクトになる。この収納状態にして持ち運ぶことができ、若しくは、室内に少スペースで保管することができる。これにより、玉掛ワイヤーのより防止治具１を一人で容易に持ち運びができるとともに、錆などの発生が防止される。
【図面の簡単な説明】
【００２１】
【図１】本発明に係る玉掛ワイヤーのより防止治具１の使用状態を示す説明図である。
【図２】同本発明の玉掛ワイヤーのより防止治具１の正面図である。
【図３】同玉掛ワイヤーのより防止治具１の他の実施例に係る正面図である。
【図４】同玉掛ワイヤーのより防止治具１の使用方法を説明する説明図である。
【図５】同玉掛ワイヤーのより防止治具１を収納状態にする説明図である。
【符号の説明】
【００２２】
１          玉掛ワイヤーのより防止治具、
２          フック、
３          吊持部、
４          支持部、
５          腕部、
６          挿通部、
７          ロック部材（鉛）、
８          玉掛ワイヤー、
９          吊り荷、
１０        紐部材。
【図１】
2007182293.tif 000003
【図２】
2007182293.tif 000004
【図３】
2007182293.tif 000005
【図４】
2007182293.tif 000006
【図５】
2007182293.tif 000007